(57)【要約】【課題】上下風向羽根の角度位置変更による風量低下を防止し、冷・暖房能力が低下することの無い空気調和装置を提供する。【解決手段】熱交換器（図示せず）と、前記熱交換器で熱交換された空気を吹出口（図示せず）から吹き出すためのファン５とを備え、前記吹出口に、吹き出される空気の向きを上下方向で変更する上下風向羽根６と、左右方向で変更する左右風向羽根９とをそれぞれ設け、前記上下風向羽根６の変更位置による風量低下を補正するように前記ファン５の回転数を制御するようにしたもので、上下風向羽根６の位置が変更されても、風量が低下しないので、冷・暖房能力が低下することの無い空気調和装置を提供することが出来る。【選択図】図１
2009287812.tif 000002
【特許請求の範囲】
【請求項１】
熱交換器と、前記熱交換器で熱交換された空気を吹出口から吹き出すためのファンとを備え、前記吹出口に、吹き出される空気の向きを上下方向で変更する上下風向羽根と、左右方向で変更する左右風向羽根とをそれぞれ設け、前記上下風向羽根の位置変更による風量低下を補正するように前記ファンの回転数を制御するようにしたことを特長とする空気調和装置。
【請求項２】
熱交換器と、前記熱交換器で熱交換された空気を吹出口から吹き出すためのファンとを備え、前記吹出口に、吹き出される空気の向きを上下方向で変更する上下風向羽根と、左右方向で変更する左右風向羽根とをそれぞれ設け、前記左右風向羽根の変更位置による風量低下を補正するように前記ファンの回転数を制御するようにしたことを特長とする空気調和装置。
【請求項３】
熱交換器と、前記熱交換器で熱交換された空気を吹出口から吹き出すためのファンとを備え、前記吹出口に、吹き出される空気の向きを上下方向で変更する上下風向羽根と、左右方向で変更する左右風向羽根とをそれぞれ設け、前記上下風向羽根及び前記左右風向羽根の変更位置による風量低下を補正するように前記ファンの回転数を制御するようにしたことを特長とする空気調和装置。
【発明の詳細な説明】
【技術分野】
【０００１】
本発明は、空気調和装置に関するもので、特に、空気調和装置の風量制御に関するものである。
【背景技術】
【０００２】
従来、この種の空気調和装置は、室内ユニットの下部に吹出しグリルを設け、吹出グリルの上部に前面パネルを設け、室内ユニットに内蔵された上下風向羽根と左右風向羽根で設定位置角度を設定する構成を持っていた（例えば、特許文献１参照）。
【０００３】
図４（ａ）は、上記特許文献１に記載された従来の空気調和装置の構成を示す図、図４（ｂ）は、同空気調和装置の室内ユニットの断面図、図５は、同空気調和装置における上下風向羽根の各位置でのファンの回転数と風量との相関図である。
【０００４】
図４において、従来のセパレート型の空気調和装置は、室内ユニット１と、室外ユニット２で構成され、室内ユニット１の前面に空気を吸い込むためにパネル７が設けられ、内部には、熱交換器３と、パネル７から室内の空気を吸引し、吸い込んだ空気と熱交換器３の流体を熱交換し、熱交換された空気を吹出口４から排出するファン５などが設けられている。室内ユニット１内部では、吸い込む空気をきれいにするために熱交換器３の吸い込み側にフィルタ８が設置されている。また、吹出口４には、上下に風向を変えて風の流れを調整する上下風向羽根６と左右に風向を変えて風の流れを調整する左右風向羽根９が取り付けられている。
【特許文献１】特開平０７−０１９５７２号公報
【発明の開示】
【発明が解決しようとする課題】
【０００５】
しかしながら、前記従来の空気調和装置の構成では、冷房あるいは暖房運転時において、図５に示すように、ファン５の回転数がＨｉのときに、上下風向羽根６の設定羽根位置を４から３にすると、通風抵抗が増大し、風量がａ点からｂ点に低下する。左右風向羽根９の設定羽根位置角度を変えたときも同様の風量の低下が発生し、設計の狙いの風量が確保されず、この為、ねらいの設計品質の快適な空調システムが保持されず、しかも設定温度に到達するのにムダな時間を費やすといった課題があった。
【０００６】
本発明は、前記従来の課題を解決するもので、設定羽根位置角度による風量低下をさせることなく、各々設定羽根位置角度によるファン風量を確保し、冷暖房能力の低下を防止することができる空気調和装置を提供する。
【課題を解決するための手段】
【０００７】
前記従来の課題を解決するために、本発明の空気調和装置は、熱交換器と、前記熱交換器で熱交換された空気を吹出口から吹き出すためのファンとを備え、前記吹出口に、吹き出される空気の向きを上下方向で変更する上下風向羽根と、左右方向で変更する左右風向羽根とをそれぞれ設け、前記上下風向羽根の変更位置による風量低下を補正するように前記ファンの回転数を制御するようにしたもので、上下風向羽根の位置が変更されても、風量が低下しないので、冷・暖房能力が低下することの無い空気調和装置を提供することが出来る。
【０００８】
また、本発明の空気調和装置は、熱交換器と、前記熱交換器で熱交換された空気を吹出口から吹き出すためのファンとを備え、前記吹出口に、吹き出される空気の向きを上下方
向で変更する上下風向羽根と、左右方向で変更する左右風向羽根とをそれぞれ設け、前記左右風向羽根の変更位置による風量低下を補正するように前記ファンの回転数を制御するようにしたもので、左右風向羽根の位置が変更されても、風量が低下しないので、冷・暖房能力が低下することの無い空気調和装置を提供することが出来る。
【０００９】
また、本発明の空気調和装置は、熱交換器と、前記熱交換器で熱交換された空気を吹出口から吹き出すためのファンとを備え、前記吹出口に、吹き出される空気の向きを上下方向で変更する上下風向羽根と、左右方向で変更する左右風向羽根とをそれぞれ設け、前記上下風向羽根及び前記左右風向羽根の変更位置による風量低下を補正するように前記ファンの回転数を制御するようにしたもので、上下風向羽根や左右風向羽根の位置が変更されても、風量が低下しないので、冷・暖房能力が低下することの無い空気調和装置を提供することが出来る。
【発明の効果】
【００１０】
本発明は、冷房あるいは暖房運転時において、上下風向羽根と左右風向羽根の設定羽根位置角度による風量低下を防止し、冷暖房能力の低下を防止することができる。
【発明を実施するための最良の形態】
【００１１】
第１の発明は、熱交換器と、前記熱交換器で熱交換された空気を吹出口から吹き出すためのファンとを備え、前記吹出口に、吹き出される空気の向きを上下方向で変更する上下風向羽根と、左右方向で変更する左右風向羽根とをそれぞれ設け、前記上下風向羽根の変更位置による風量低下を補正するように前記ファンの回転数を制御するようにしたもので、上下風向羽根の位置が変更されても、風量が低下しないので、冷・暖房能力が低下することの無い空気調和装置を提供することが出来る。
【００１２】
第２の発明は、熱交換器と、前記熱交換器で熱交換された空気を吹出口から吹き出すためのファンとを備え、前記吹出口に、吹き出される空気の向きを上下方向で変更する上下風向羽根と、左右方向で変更する左右風向羽根とをそれぞれ設け、前記左右風向羽根の変更位置による風量低下を補正するように前記ファンの回転数を制御するようにしたもので、左右風向羽根の位置が変更されても、風量が低下しないので、冷・暖房能力が低下することの無い空気調和装置を提供することが出来る。
【００１３】
第３の発明は、熱交換器と、前記熱交換器で熱交換された空気を吹出口から吹き出すためのファンとを備え、前記吹出口に、吹き出される空気の向きを上下方向で変更する上下風向羽根と、左右方向で変更する左右風向羽根とをそれぞれ設け、前記上下風向羽根及び前記左右風向羽根の変更位置による風量低下を補正するように前記ファンの回転数を制御するようにしたもので、上下風向羽根や左右風向羽根の位置が変更されても、風量が低下しないので、冷・暖房能力が低下することの無い空気調和装置を提供することが出来る。
【００１４】
以下、本発明の実施の形態について、図面を参照しながら説明する。なお、この実施の形態によって本発明が限定されるものではない。
【００１５】
（実施の形態１）
図１は、本発明の実施の形態１に於ける空気調和装置のブロック図、図２は、同空気調和装置の上下の風向と風量ならびに回転数との相関図である。尚、上記従来の空気調和装置と同一部分いついては、同一符号を付して、その説明を省略する。
【００１６】
図１において、本実施の形態における空気調和装置は、左右風向羽根９の向きを変更する左右風向羽根駆動モータ１０と、上下風向羽根６の向きを変更する上下風向羽根駆動モータ１１と、上下風向羽根６の変更位置による風量低下を補正するための補正値を含む補
正テーブル１２と、補正テーブル１２にある補正値に基づき、ファン５の回転数を制御する制御手段１３を備えている。尚、他の構成は、従来の空気調和装置と同じである。
【００１７】
図２において、ファン５の回転数がＨｉのとき、上下風向羽根６の位置角度タップが４の場合は、風量がａ点で最大風量となり、上下風向羽根６の位置角度タップが３の場合は、風量がｂ点となり低下するが、本実施の形態は、この風量低下量分（ａ点−ｂ点）を補正するために、補正テーブル１２にある補正値に基づき、制御手段１３で、ファン５の回転数（ｒｐｍ）を、ｃ点まで上げるようにしたものである。この場合の、補正値は、（ｃ−ａ）である。
【００１８】
以上のように、本実施の形態によれば、回転数風量低下量をデータ補正値により、ファン５の回転数を上げることにより設計の狙いの最大風量を確保することが出来る。これにより快適な室内空調が確保できる。また、上下風向羽根６の羽根位置角度における風量低下をなくすことにより、リモコン操作による設定温度に早く到達でき、かつ設定温度を保つことができる。
【００１９】
（実施の形態２）
図３は、本発明の実施の形態２に於ける空気調和装置の左右の風向と風量ならびに回転数との相関図である。尚、上記第１の実施の形態における空気調和装置と同一部分については、同一符号を付してその説明を省略する。
【００２０】
本実施の形態では、補正テーブル１２は、左右風向羽根９の変更位置による風量低下を補正するための補正値を含んでおり、他の構成は、従来の空気調和装置と同じである。
【００２１】
図３において、ファン５の回転数がＨｉのとき、左右風向羽根９の位置角度タップが３の場合は、風量がＡ点で最大風量となり、左右風向羽根９の位置角度タップが２又は４の場合は、風量がＢ点となり低下するが、本実施の形態は、この風量低下量分（Ａ点−Ｂ点）を補正するために、補正テーブル１２にある補正値に基づき、ファン５の回転数（ｒｐｍ）を、Ｃ点まで上げるようにしたものである。この場合、補正値は、（Ｃ−Ａ）である。
【００２２】
以上のように、本実施の形態によれば、回転数風量低下量をデータ補正値により、ファン５の回転数を上げることにより設計の狙いの最大風量を確保することが出来る。これにより快適な室内空調が確保できる。また、左右風向羽根９の羽根位置角度における風量低下をなくすことにより、リモコン操作による設定温度に早く到達でき、かつ設定温度を保つことができる。
【００２３】
尚、補正テーブル１２に、上下風向羽根６及び左右風向羽根９の向きを同時に変えたときの風量低下を防止するための補正値を入れておき、上下風向羽根６及び左右風向羽根９の向きを同時に変えたときでも風量低下が起きないようにすれば、さらに使用勝手の良い空気調和装置を提供できる。
【産業上の利用可能性】
【００２４】
以上のように、本発明にかかる空気調和装置は、上下風向羽根と左右風向羽根の設定羽根位置角度による風量低下が無く、ファンの風量を安定（信頼性確保）させることができるもので、除湿機やカーエアコンの吹出し口等にも利用可能である。
【図面の簡単な説明】
【００２５】
【図１】本発明の実施の形態１に於ける空気調和装置のブロック図
【図２】同空気調和装置の上下の風向と風量ならびに回転数との相関図
【図３】本発明の実施の形態２に於ける空気調和装置の左右の風向と風量ならびに回転数との相関図
【図４】（ａ）従来の空気調和装置の構成を示す図（ｂ）同空気調和装置の室内ユニットの断面図
【図５】同空気調和装置における上下風向羽根の各位置でのファンの回転数と風量との相関図
【符号の説明】
【００２６】
１  室内ユニット
２  室外ユニット
３  熱交換器
４  吹出口
５  ファン
６  上下風向羽根
９  左右風向羽根
【図１】
2009287812.tif 000003
【図２】
2009287812.tif 000004
【図３】
2009287812.tif 000005
【図４】
2009287812.tif 000006
【図５】
2009287812.tif 000007